(57)【要約】【課題】受容面、ラグおよびハンドルを含むハードディスクトレーと、ハードディスクユニットと、を備えるサーバーを提供する。【解決手段】ハードディスクユニットが摺動可能に受容面に設けられ、ラグがハードディスクユニットの一側に位置する。ハンドルは、支持アームを含み、また、上記支持アームの第１の部位がラグに枢支され、支持アームの第２の部位がハードディスクユニットに接続され、且つ第２の部位と第１の部位の位置が異なる。ハンドルが第１の部位を軸心として回転する場合、第２の部位が第１の部位に対して移動し、ハードディスクユニットを受容面に摺動させる。【選択図】図２Ａ
2015135715.tif 000002
【特許請求の範囲】
【請求項１】
ケースと、
ハードディスクユニットと、
前記ハードディスクユニットが摺動可能に設けられる受容面と、前記ハードディスクユニットの一側に位置するラグと、第１の部位が前記ラグに枢支され、第２の部位が前記ハードディスクユニットに接続され、且つ前記第２の部位と前記第１の部位の位置が異なる支持アームを含むハンドルと、を含み、一方向に沿って前記ケースから引き出しまたは前記ケースに押し込むことに適するハードディスクトレーと、
を備え、前記ハンドルが前記第１の部位を軸心として回転する場合、前記第２の部位が前記第１の部位に対して移動して、前記ハードディスクユニットを前記受容面において摺動させるサーバー。
【請求項２】
前記ハンドルが把持部をさらに備え、前記支持アームが第１の連動ロッドと第２の連動ロッドを備え、前記第１の連動ロッドが対向する第１の端部と第２の端部を備え、前記第１の端部が前記把持部に接続され、前記第２の端部が前記第２の連動ロッドに枢支され、且つ前記第１の部位が前記第１の連動ロッドに位置し、前記第２の部位が前記第２の連動ロッドに位置する請求項１に記載のサーバー。
【請求項３】
前記第１の連動ロッドが折曲部を有し、前記第１の部位が前記折曲部に近く設けられ、前記第１の部位が回転する場合、前記第２の端部が、前記第２の連動ロッドを移動するように牽引して、前記第２の部位を前記第２の連動ロッドにつれて同期に移動させる請求項２に記載のサーバー。
【請求項４】
前記ハードディスクユニットは、ハードディスク本体とハードディスクスタンドをさらに備え、前記ハードディスク本体が前記ハードディスクスタンドに載せられ、前記第２の部位が前記ハードディスクスタンドに枢支される請求項３に記載のサーバー。
【請求項５】
前記ハードディスクトレーに固定され、接続インタフェースを有する回路基板をさらに備え、前記ハードディスク本体が前記接続インタフェースに挿抜可能に接続され、前記ハンドルが前記第１の部位を軸心として前記ハードディスク本体の一端部から第１の予定角度で回転する場合、前記第２の部位が前記第１の部位から離れる方向に移動して、前記ハードディスク本体を前記接続インタフェースから引き抜く請求項４に記載のサーバー。
【請求項６】
前記ハードディスクトレーは、弾性部材をさらに備え、前記弾性部材が対向する第３の端部と第４の端部を含み、前記第３の端部が前記第１の連動ロッドに接続され、前記第４の端部が前記ハードディスクスタンドに接続され、前記ハンドルが前記第１の部位を軸心として前記第１の予定角度より大きい第２の予定角度で回転する場合、前記弾性部材は、前記ハードディスクスタンドが前記第１の部位を軸心として曲げるように変形する請求項５に記載のサーバー。
【請求項７】
前記第１の連動ロッドは、それぞれ前記折曲部から延出して実質的に互いに垂直する第１の支持ロッドと第２の支持ロッドを備え、前記弾性部材の前記第３の端部が前記第１の支持ロッドに接続され、前記第２の連動ロッドが前記第２の支持ロッドに接続される請求項６に記載のサーバー。
【請求項８】
前記受容面が位置制限孔を有し、前記ハードディスクスタンドが位置制限ブロックを有し、前記ハードディスクユニットが前記受容面に摺動する場合、前記位置制限ブロックが前記位置制限孔内に制限される請求項４に記載のサーバー。
【請求項９】
前記位置制限孔が大孔と小孔を備え、前記位置制限ブロックが前記小孔内に係合される請求項８に記載のサーバー。
【請求項１０】
前記ハンドルが第１の係止部を有し、前記ハードディスクトレーが第２の係止部を有し、前記ハンドルが前記ハードディスクユニットの一端に回転する場合、前記第１の係止部と前記第２の係止部が互いに係止する請求項１に記載のサーバー。
【発明の詳細な説明】
【技術分野】
【０００１】
本発明はサーバーに関し、特にハードディスクユニットを備えるサーバーに関する。
【背景技術】
【０００２】
いわゆるホットスワップ(ｈｏｔ  ｓｗａｐ)とは、コンピュータシステムが電源を遮断しない場合に、直接に周辺機器に対する物理的な接続または物理的な抜き取りの動作を行うものである。ホットスワップの機能は、サーバーレベルのシステムに特に重要であり、コンピュータがサービスを中断しない前提で、システムの機能を拡大させることができる。
【０００３】
現在、従来のホットスワップハードディスクは、一般的に、まずハードディスクドライブを搭載棚にロックし、またハードディスクを搭載棚とともにサーバーのケースに滑り込ませる。しかしながら、当該技術分野においては様々なハードディスクを固定する方式がある。一般的に、最も広く用いられる方式は、複数のネジを利用してハードディスクを搭載棚に直接ロックすることである。
【発明の概要】
【発明が解決しようとする課題】
【０００４】
しかしながら、上記方式において、ハードディスクの取り付けと取り外しの時に、いずれも大量のネジを捩じ込みまたは緩める必要があるため、過程が複雑で、操作が不便である。
【課題を解決するための手段】
【０００５】
本発明の一態様は、従来の技術における課題を解決するために、サーバーを提供することにある。
【０００６】
上記目的を達成するために、本発明の一実施例によれば、ケースと、ハードディスクトレーと、ハードディスクユニットと、を備えるサーバーを提供する。ハードディスクトレーは一方向に沿ってケースから引き出しまたはケースに押し込むことに適する。ハードディスクトレーは、受容面、ラグおよびハンドルを含む。ハードディスクユニットが摺動可能に受容面に設けられ、ラグがハードディスクユニットの一側に位置する。ハンドルが支持アームを含み、且つ支持アームの第１の部位がラグに枢支され、支持アームの第２の部位がハードディスクユニットに接続され、且つ第２の部位と第１の部位の位置が異なる。ハンドルが第１の部位を軸心として回転する場合、第２の部位が第１の部位に対して移動して、ハードディスクユニットを受容面において摺動させる。
【０００７】
本発明の一実施例によれば、前記ハンドルが把持部をさらに備え、支持アームが第１の連動ロッドと第２の連動ロッドを備える。第１の連動ロッドが対向する第１の端部と第２の端部を備え、第１の端部が把持部に接続され、第２の端部が第２の連動ロッドに枢支され、且つ第１の部位が第１の連動ロッドに位置し、第２の部位が第２の連動ロッドに位置する。
【０００８】
本発明の一実施例によれば、前記第１の連動ロッドが折曲部を有し、第１の部位が折曲部近くに設けられ、第１の部位が回転する場合、第２の端部が第２の連動ロッドを移動するように牽引して、第２の部位を第２の連動ロッドにつれて同期して移動させる。
【０００９】
本発明の一実施例によれば、前記ハードディスクユニットはハードディスク本体とハードディスクスタンドをさらに備え、ハードディスク本体がハードディスクスタンドに支持され、第２の部位がハードディスクスタンドに枢支される。
【００１０】
本発明の一実施例によれば、前記サーバーはハードディスクトレーに固定される回路基板をさらに備える。回路基板が接続インタフェースを有し、ハードディスク本体が接続インタフェースに挿抜可能に接続される。ハンドルは第１の部位を軸心としてハードディスク本体の一端から第１の予定角度で回転する場合、第２の部位は第１の部位から離れる方向に移動して、ハードディスク本体を接続インタフェースから引き抜く。
【００１１】
本発明の一実施例によれば、前記ハードディスクトレーは、弾性部材をさらに備える。弾性部材が対向する第３の端部と第４の端部を含み、第３の端部が第１の連動ロッドに接続され、第４の端部がハードディスクスタンドに接続される。ハンドルが第１の部位を軸心として第１の予定角度より大きい第２の予定角度で回転する場合、弾性部材は、ハードディスクスタンドが第１の部位を軸心として曲げるように変形する。
【００１２】
本発明の一実施例によれば、前記第１の連動ロッドが第１の支持ロッドと第２の支持ロッドを備え、第１の支持ロッドと第２の支持ロッドがそれぞれ折曲部から延出してそして実質的に互いに垂直する。弾性部材の第３の端部が第１の支持ロッドに接続され、第２の連動ロッドが第２の支持ロッドに接続される。
【００１３】
本発明の一実施例によれば、前記受容面が位置制限孔を有し、ハードディスクスタンドが位置制限ブロックを有する。ハードディスクユニットが受容面において摺動する場合、位置制限ブロックが位置制限孔の中に制限される。
【００１４】
本発明の一実施例によれば、前記位置制限孔が大孔と小孔を備える。位置制限ブロックが小孔の中に係合される。
【００１５】
本発明の一実施例によれば、前記ハンドルが第１の係止部を有し、ハードディスクトレーが第２の係止部を有する。ハンドルがハードディスクユニットの一端に回転される場合、第１の係止部と第２の係止部が互いに係止する。
【発明の効果】
【００１６】
以上をまとめると、本発明の前記実施例は、ハンドルが第１の予定角度に回転する過程により、それに伴いハードディスク本体と伝送インタフェースを引き抜くことができ、次に、ハンドルが第２の予定角度に回転する場合、それに伴いハードディスクスタンドが曲がることができ、ハードディスク本体を容易に取り出すことができる。同様に、ハードディスク本体をサーバーのケースの中に取り付ける時に、まずハンドルを第２の予定角度に回転しハードディスク本体をハードディスクスタンドに配置し、次に、ハンドルを元の位置に逆転するだけで、大量のネジまたはロック素子を捩じ込みまたは緩めることなく、自動的にハードディスク本体をサーバーのケースの中に挿設することができるため、簡単で迅速にハードディスク本体を取り付けることができ、操作が便利で時間を節約することができる。
【図面の簡単な説明】
【００１７】
本発明およびそのメリットをより分かりやすくするため、以下図面を参照して説明を行う。
【図１】本発明の一実施例に係るサーバーを示す組立図である。
【図２Ａ】図１の１つのハードディスクトレーを示す分解図である。
【図２Ｂ】図２Ａのハードディスクユニットを示す裏面分解図である。
【図３】図１のハンドルの閉止の場合を示す側面図である。
【図４】図１のハンドルが第１の予定角度で開放した様子を示す側面図である。
【図５】図１のハードディスクトレーの曲げを示す側面図である。
【図６】ハードディスク本体をハードディスクスタンドから取り出した様子を示す側面図である。
【発明を実施するための形態】
【００１８】
以下、図面で本発明の複数の実施例を説明し、明らかに説明するために、多くの実際の細部を以下の説明で併せて説明する。しかしながら、これらの実際の細部は本発明を制限するためのものではないことが理解すべきである。つまり、本発明の一部の実施例において、これらの実際の細部が必要なものではない。そのほか、図面を簡略化するために、ある従来慣用の構造と素子を図面において簡単に模式的に示す。
【００１９】
以下の実施例において、使用者がハードディスク本体をサーバーの内蔵トレーに置き、内蔵トレーを閉じるだけで、ハードディスク本体とサーバーを連結することができる内蔵トレー装置のサーバーを紹介する。したがって、本発明におけるサーバーは、使用者がハードディスクを着脱する時間を大幅に節約することができる。
【００２０】
図１と図２Ａを参照して、図１は本発明の一実施例を示す組立図であり、図２Ａは図１の１つのハードディスクトレーを示す分解図である。図２Ａはハードディスクトレーの最右側(Ｘ方向において)のケースを省略して示して、簡単に本実施例におけるハードディスクトレー上の主要な素子を説明する。図１に示すように、サーバー１０はケース１００と、ハードディスクユニット１３０と、ハードディスクトレー１１０と、を備え、ハードディスクトレー１１０は方向Ｘに沿ってケース１００から引き出しまたはケース１００に押し込むことに適する。本実施例において、ハードディスクトレー１１０には、ケース１００から引き出される場合でも、複数のハードディスクユニット１３０が依然としてサーバー１０の回路基板１６０(図２Ａに示される)に電気的に接続される複数のハードディスクユニット１３０を含んでもよい。
【００２１】
より具体的には、回路基板１６０は、ハードディスクトレー１１０に固定され、且つ接続インタフェース１６１を有する。ハードディスクユニット１３０におけるハードディスク本体１３２は、回路基板１６０の接続インタフェース１６１に挿抜可能に接続される。回路基板１６０の一端には、ハードディスクトレー１１０の摺動につれてまっすぐに引かれまたは重ねられて、ハードディスクトレー１１０がケース１００から引き出される時に、ハードディスク本体１３２はやはり接続インタフェース１６１、回路基板１６０および伝送線などの装置によってサーバー１０内の制御ユニットまたは処理ユニットなどの回路素子に電気的に接続されることができる伝送線(図示せず)を有してもよい。
【００２２】
図２Ａを参照して、ハードディスクトレー１１０は受容面１２０、２つのラグ１４０およびハンドル１５０を備える。ハードディスクユニット１３０が受容面１２０に摺動可能に設けられる。２つのラグ１４０は、Ｘ方向に沿って設けられ、またそれぞれハードディスクユニット１３０の２つの対向する一側面に位置する。即ち、ハードディスクユニット１３０は２つのラグ１４０の間に位置し、また２つのラグ１４０の間に制限されて摺動する。ハードディスクユニット１３０はハードディスク本体１３２およびハードディスクスタンド１３４を備え、ハードディスク本体１３２はハードディスクスタンド１３４に載せられる。また、本実施例におけるハードディスク本体１３２は最も一般的なハードディスク製品であってもよく、ハードディスクエンクロージャと組み合わせなくてもよいため、ハードディスク本体１３２が「ベアディスク」と理解されてもよい。
【００２３】
ハードディスクユニット１３０がＹ方向に摺動する場合、ハードディスク本体１３２はそれに伴い接続インタフェース１６１から離脱する。このときに、いずれのネジまたは他のロック素子を緩めることなく、ハードディスク本体１３２を取り出すことができる。同様に、ハードディスクユニット１３０が負Ｙ方向に摺動する場合、ハードディスク本体１３２をそれに伴い接続インタフェース１６１に挿設することができる。このように、本実施例におけるハードディスク本体１３２をサーバー１０のケース１００において迅速的に取り外すことができる。
【００２４】
図２Ａを参照して、本実施例において、ハンドル１５０はほぼＵ字形を呈するが、これに制限されない。ハンドル１５０が２つの支持アーム１５１および把持部１５２を備え、２つの支持アーム１５１が把持部１５２の相対する両端に接続される。支持アーム１５１の上に、位置が異なる第１の部位Ｐ１と第２の部位Ｐ２を有する。第１の部位Ｐ１がラグ１４０に枢支され、第２の部位Ｐ２がハードディスクユニット１３０に接続される。
【００２５】
より具体的には、本実施例のラグ１４０は枢支孔１４１を有し、第１の部位Ｐ１に枢支孔１４１に対向する他の枢支孔を有してもよく、且つピボット部材１４２は第１の部位Ｐ１上の枢支孔に穿設されラグ１４０方向へ突出することができる。ピボット部材１４２は枢支孔１４１の中に係止されることができ、且つ枢支孔１４１の中に自転して、ハンドル１５０に第１の部位Ｐ１を軸心として回転させることができる。このように、第１の部位Ｐ１が回転する場合、同一の支持アーム１５１における第２の部位Ｐ２は第１の部位Ｐ１と相対移動を発生することがあり、ハードディスクユニット１３０が第２の部位Ｐ２に接続されて、ハードディスクユニット１３０を受容面１２０において摺動させることができ、さらにハードディスクユニット１３０上のハードディスク本体１３２を接続インタフェース１６１に対してホットスワップ可能にする。第２の部位Ｐ２に穴を有し、一部の実施例においてピボット部材またはロック素子によってハードディスクユニット１３０と第２の部位Ｐ２上の穴を連結することができる。
【００２６】
２つの支持アーム１５１は、それぞれ第１の連動ロッド１５３と第２の連動ロッド１５４を備え、且つそれぞれ第１の連動ロッド１５３によってラグ１４０に枢支され、そして第２の連動ロッド１５４によってハードディスクユニット１３０に接続される。好ましい一実施例において、第２の連動ロッド１５４がハードディスクユニット１３０に枢支されることができる。このように、使用者は、把持部１５２を引き上げまたは放すだけで、ハードディスクユニット１３０を動かして受容面１２０において摺動させることができる。
【００２７】
第１の連動ロッド１５３は相対する第１の端部１５３ａと第２の端部１５３ｂを備え、第１の端部１５３ａが把持部１５２に接続され、第２の端部１５３ｂが第２の連動ロッド１５４の一端に枢支される。本実施例において、第１の部位Ｐ１が第１の連動ロッド１５３に位置し、第２の部位Ｐ２が第２の連動ロッド１５４に位置する。このように、把持部１５２が使用者によって引き上げられまたは放された場合、第１の連動ロッド１５３が第１の部位Ｐ１を軸心として回転することがある。このときに、第１の連動ロッド１５３に枢支される第２の連動ロッド１５４は、牽引されて移動して、第２の連動ロッド１５４に接続されるハードディスクユニット１３０が受容面１２０に摺動することを引き起こす。好ましい一実施例において、ハードディスクユニット１３０が第２の連動ロッド１５４に枢支されると、ハードディスクユニット１３０が受容面１２０において第２の連動ロッド１５４によって推移される力が安定で、摩擦力が小さい。
【００２８】
注意すべきなのは、本実施例において、第１の連動ロッド１５３が折曲部Ｓを有してもよく、且つ第１の部位Ｐ１の位置が折曲部Ｓに近寄る。一部の実施例において、第１の連動ロッド１５３がＬ型に近似する形状に折り曲げられることができる。例えば、第１の連動ロッド１５３は、第１の支持ロッド１５３ｃと第２の支持ロッド１５３ｄをさらに備えてもよく、且つそれぞれ折曲部Ｓから延出して実質的に互いに直交する。且つ、第１の部位Ｐ１が第１の支持ロッド１５３ｃに位置し、第１の連動ロッド１５３の第２の端部１５３ｂが第２の支持ロッド１５３ｄに位置し、第２の端部１５３ｂが第２の連動ロッド１５４の一端に枢支される。このように、図３に示すハンドル１５０の閉止の側面図及び図４に示すハンドル１５０の第１の予定角度Ａ１で開放する様子の側面図を併せて参照されたい。図３と図４に示すように、ハンドル１５０が第１の部位Ｐ１を軸心としてハードディスク本体１３２の一端から第１の予定角度Ａ１で回転する場合、第２の部位Ｐ２が第１の部位Ｐ１と異なり、且つ第２の部位Ｐ２が第２の連動ロッド１５４に位置するため、第２の部位Ｐ２が第１の部位Ｐ１から離れる方向へ移動して、ハードディスク本体１３２を接続インタフェース１６１から引き抜く(図４に示す)。
【００２９】
注意すべきなのは、図２Ａと図２Ｂを参照して、図２Ｂは図２Ａのハードディスクユニット１３０を示す裏面分解図である。本実施例において、ハードディスクスタンド１３４に少なくとも１つの突出部材１３３が設けられ、且つハードディスク本体１３２は突出部材１３３に相対する位置に凹孔１３８を有する。ハードディスク本体１３２がハードディスクスタンド１３４に置かれる場合、凹孔１３８は突出部材１３３と位置合わせるように置かれることができる。このように、ハンドル１５０が回転して支持アーム１５１の第１の部位Ｐ１を回転させる場合、第２の連動ロッド１５４は牽引されて移動する。且つ、第２の部位Ｐ２が第２の連動ロッド１５４につれて同期に移動して、第２の連動ロッド１５４に接続されるハードディスクスタンド１３４が受容面１２０に摺動することを引き起こす。このときに、ハードディスクスタンド１３４における突出部材１３３はハードディスク本体１３２がハードディスクスタンド１３４につれて同期に移動するようにガイドすることができて、ハードディスク本体１３２が接続インタフェース１６１に対して引き抜かれまたは挿設されることを引き起こす。好ましい一実施例において、第２の部位Ｐ２はハードディスクスタンド１３４に枢支されてもよく、ハードディスクスタンド１３４が第２の部位Ｐ２に引かれる時に、第２の部位Ｐ２はハードディスクスタンド１３４を受容面１２０において摺動させるように安定または大きな力を提供することができる。
【００３０】
前記ハンドル１５０の把持部１５２および２つの支持アーム１５１の配置によって、既にハードディスク本体１３２を迅速的に接続インタフェース１６１に離脱または装着させることができる。次に、図２Ａを参照して、ハードディスク本体１３２の取り出しをより容易にするために、ハードディスクトレー１１０は２つの弾性部材１７０をさらに備える。弾性部材１７０は相対する第３の端部１７０ａと第４の端部１７０ｂを有し、第３の端部１７０ａが第１の連動ロッド１５３に接続され、第４の端部１７０ｂがハードディスクスタンド１３４に接続される。このように、図５に示すハードディスクトレー１１０の曲げの側面図および図６に示すハードディスク本体１３２がハードディスクスタンド１３４から取り出される様子を示す側面図を参照されたい。ハンドル１５０が第１の部位Ｐ１を軸心として第１の予定角度Ａ１より大きい第２の予定角度Ａ２で回転する場合、弾性部材１７０は、ハードディスクスタンド１３４が第１の部位Ｐ１を軸心として曲げるように変形する。
【００３１】
より具体的には、好ましい一実施例において、弾性部材１７０の第３の端部１７０ａが第１の連動ロッド１５３の第１の支持ロッド１５３ｃに接続され、弾性部材１７０の第４の端部１７０ｂがハードディスクスタンド１３４に接続され、且つハンドル１５０が第１の部位Ｐ１を軸心として第２の予定角度Ａ２に回転する場合、弾性部材１７０の変形量が最大に達しまたは最大に近いため、弾性部材１７０は変形し続けることが困難になり、ハードディスクユニット１３０全体が曲げられる。このときに、ハードディスクユニット１３０が曲げられるため、使用者は容易にハードディスクスタンド１３４からハードディスク本体１３２を取り出すことができる。製品の実際的応用の場合で、弾性部材１７０がねじりばねであってもよいが、これに限定されない。
【００３２】
前記実施例によって分かるように、サーバー１０はまずハンドル１５０が第１の予定角度Ａ１に回転することによって、ハードディスク本体１３２を接続インタフェース１６１から離脱させることができる。次に、さらにハンドル１５０を第２の予定角度Ａ２に回転し、弾性部材１７０の変形量を最大に近くしてから、弾性部材１７０がハードディスクスタンド１３４の一端を曲げさせ、それにより、使用者はハードディスク本体１３２を容易にハードディスクスタンド１３４から取り出すことができる。
【００３３】
製品の実際的応用の場合で、第１の予定角度Ａ１は４５度〜６０度にあってもよく、第２の予定角度Ａ２は６０度を超えて且つ９０度の以下であってもよい。しかしながら、前記数値は本発明の範囲を制限するものではなく、ハンドル１５０は第１の予定角度Ａ１で回転してハードディスク本体１３２を接続インタフェース１６１から離脱させることができ、且つ第２の予定角度Ａ２で回転して弾性部材１７０の変形量を最大に近くすることができる限り、本発明の保護範囲に属する。
【００３４】
次に、以下の実施例は、ハードディスクユニット１３０が受容面１２０における摺動機構をさらに紹介する。図２Ａを参照して、受容面１２０は少なくとも１つの位置制限孔２２０をさらに備えてもよい。複数の位置制限孔２２０のいずれも、互いに接続する大孔２２１および小孔２２２を備える。ハードディスクスタンド１３４は少なくとも１つの位置制限ブロック１３５をさらに備え、且つ位置制限ブロック１３５が位置制限孔２２０の中に制限される。一部の実施例において、位置制限孔２２０はタガネ孔（ｈａｒｄｙ  ｈｏｌｅ）またはタガネ孔機能を類似する開孔であってもよい。
【００３５】
より具体的には、位置制限ブロック１３５は互いに接続するヘッド本体部１３６およびネック部１３７を備える。ヘッド本体部１３６の直径はネック部１３７の直径より大きい。位置制限孔２２０の大孔２２１の口径は位置制限孔２２０の小孔２２２の口径より大きいが、位置制限ブロック１３５のヘッド本体部１３６の直径より小さいことで、位置制限ブロック１３５を小孔２２２に係合させる。具体的に、位置制限ブロック１３５のネック部１３７が位置制限孔２２０の大孔２２１から小孔２２２内に移動する場合、位置制限ブロック１３５のヘッド本体部１３６が位置制限孔２２０の小孔２２２の中に制限され、このとき、ハードディスク本体１３２が接続インタフェース１６１に挿設される。ハードディスクスタンド１３４はハードディスク本体１３２が受容面１２０において摺動するように連動してハードディスク本体１３２を接続インタフェース１６１から離脱させる時、位置制限ブロック１３５もそれにつれて大孔２２１の位置に滑る。次に、ハードディスクスタンド１３４がさらに曲げられる場合、位置制限ブロック１３５が大孔２２１から離れる。
【００３６】
本実施例において、位置制限ブロック１３５がハードディスクスタンド１３４に別途に取り付けられるが、これに制限されない。一部の実施例において、位置制限ブロック１３５がハードディスクスタンド１３４上に一体に成形することができる。
【００３７】
注意すべきなのは、本実施例のハンドル１５０が引き上げられる前に、ハードディスクユニット１３０の一端に係止されることができる。具体的には、ハンドル１５０は第１の係止部１８０を有し、ハードディスクトレー１１０は第２の係止部１９０を有する。ハードディスクユニット１３０は相対する両端を有し、その一端が接続インタフェース１６１に向かい合い、他の一端がハードディスクトレー１１０における第２の係止部１９０に向かい合う。ハンドル１５０がハードディスクユニット１３０の第２の係止部１９０に向かい合う一端に回転される場合、第１の係止部１８０と第２の係止部１９０とが互いに係止することができる。したがって、ハンドル１５０が引き上げられる前に、先に第１の係止部１８０と第２の係止部１９０を緩める必要がある。
【００３８】
具体的に、第１の係止部１８０はばね１８２と活動ブロック１８４をさらに備えてもよく、活動ブロック１８４の外側表面に少なくとも１つの凹溝１８１が凹設され、ばね１８２が把持部１５２および活動ブロック１８４の間に設けられる。第２の係止部１９０は、活動ブロック１８４における凹溝１８１を係止する少なくとも１つのフック部材１９１を備えてもよく、ばね１８２の配置によって、使用者は、活動ブロック１８４を押すだけで、フック部材１９１を凹溝１８１から離脱し、さらに第１の係止部１８０と第２の係止部１９０を緩めることができる。
【００３９】
以上のように、本発明の前記実施例には、ハンドルにおける第１の連動ロッドおよび第２の連動ロッドの設置によって、ハンドルの把持部が持ち上げられる時、第１の連動ロッドは第２の連動ロッドを移動するように牽引し、ハードディスク本体をついでに接続インタフェースから引き抜くことができ。次に、前記実施例においてさらに弾性部材の設置によって、ハードディスク本体が接続インタフェース上から離脱した後、把持部がさらに推移されて弾性部材を変形させてついでにハードディスクスタンドを曲げさせることができて、使用者はいずれかのロック部品を緩めずに、容易にハードディスクスタンド上からハードディスク本体を取り出して、ハードディスク本体を着脱する時間を減少させる。そのほか、伝統的なサーバーは、一般的に、ハードディスク本体にはサポート部材を増設してこそサーバーのケースに取り付けられることができるが、本発明の前記実施例におけるハードディスク本体はベアディスクの態様であってもよく、他のサポート部材と結合する必要がなくハードディスクトレーにおける伝送インタフェースに取り付けられることができる。したがって、伝統的なサーバーに比べて、本発明の前記実施例のサーバーは同一のＵ数の空間(即ち、１つのフレームユニットの空間)において多くのハードディスク本体を収納することができる。
【００４０】
以上、本発明の実施形態を開示したが、これは本発明を限定するものではなく、当業者であれば、本発明の精神と領域から逸脱しない限り、多様の変更や修正を加えることができ、従って、本発明の保護範囲は、後の特許請求の範囲で指定した内容を基準とする。
【符号の説明】
【００４１】
１０  サーバー
１００  ケース
１１０  ハードディスクトレー
１２０  受容面
１３０  ハードディスクユニット
１３２  ハードディスク本体
１３３  突出部材
１３４  ハードディスクスタンド
１３５  位置制限ブロック
１３６  ヘッド本体部
１３７  ネック部
１４０  ラグ
１４１  枢支孔
１４２  ピボット部材
１５０  ハンドル
１５１  支持アーム
１５２  把持部
１５３  第１の連動ロッド
１５３ａ  第１の端部
１５３ｂ  第２の端部
１５３ｃ  第１の支持ロッド
１５３ｄ  第２の支持ロッド
１５４  第２の連動ロッド
１６０  回路基板
１６１  接続インタフェース
１７０  弾性部材
１７０ａ  第３の端部
１７０ｂ  第４の端部
１８０  第１の係止部
１８１  凹溝
１８２  ばね
１８４  活動ブロック
１９０  第２の係止部
１９１  フック部材
２２０  位置制限孔
２２１  大孔
２２２  小孔
Ｐ１  第１の部位
Ｐ２  第２の部位
Ｓ  折曲部
Ａ１  第１の予定角度
Ａ２  第２の予定角度
【図１】
2015135715.tif 000003
【図２Ａ】
2015135715.tif 000004
【図２Ｂ】
2015135715.tif 000005
【図３】
2015135715.tif 000006
【図４】
2015135715.tif 000007
【図５】
2015135715.tif 000008
【図６】
2015135715.tif 000009
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
ケースと、
ハードディスク本体とハードディスクスタンドを備え、前記ハードディスク本体が前記ハードディスクスタンドに載せられたハードディスクユニットと、
前記ハードディスクユニットが摺動可能に設けられる受容面と、前記ハードディスクユニットの一側に位置するラグと、第１の部位が前記ラグに枢支され、第２の部位が前記ハードディスクユニットに接続され、且つ前記第２の部位と前記第１の部位の位置が異なる支持アームを含むハンドルと、を含み、一方向に沿って前記ケースから引き出しまたは前記ケースに押し込むことに適するハードディスクトレーと、
前記ハードディスクトレーに固定され、接続インタフェースを有する回路基板とを備え、
前記ハードディスク本体が前記接続インタフェースに挿抜可能に接続され、
前記ハンドルが前記第１の部位を軸心として前記ハードディスク本体の一端部から第１の予定角度で回転する場合、前記第２の部位が前記第１の部位から離れる方向に移動して、前記ハードディスク本体を前記接続インタフェースから引き抜き、
前記ハンドルが前記第１の部位を軸心として前記第１の予定角度より大きい第２の予定角度で回転する場合、前記第１の部位を軸心として、前記ハードディスクスタンドが持ち上げられるサーバー。
【請求項２】
前記ハンドルが把持部をさらに備え、前記支持アームが第１の連動ロッドと第２の連動ロッドを備え、前記第１の連動ロッドが対向する第１の端部と第２の端部を備え、前記第１の端部が前記把持部に接続され、前記第２の端部が前記第２の連動ロッドに枢支され、且つ前記第１の部位が前記第１の連動ロッドに位置し、前記第２の部位が前記第２の連動ロッドに位置する請求項１に記載のサーバー。
【請求項３】
前記第１の連動ロッドが折曲部を有し、前記第１の部位が前記折曲部に近く設けられ、前記第１の部位が回転する場合、前記第２の端部が、前記第２の連動ロッドを移動するように牽引して、前記第２の部位を前記第２の連動ロッドにつれて同期に移動させる請求項２に記載のサーバー。
【請求項４】
前記ハードディスクユニットは、前記第２の部位が前記ハードディスクスタンドに枢支される請求項３に記載のサーバー。
【請求項５】
前記ハードディスクトレーは、弾性部材をさらに備え、前記弾性部材が対向する第３の端部と第４の端部を含み、前記第３の端部が前記第１の連動ロッドに接続され、前記第４の端部が前記ハードディスクスタンドに接続され、前記ハンドルが前記第１の部位を軸心として前記第２の予定角度で回転する場合、前記弾性部材は、前記ハードディスクスタンドが前記第１の部位を軸心として曲げるように変形する請求項４に記載のサーバー。
【請求項６】
前記第１の連動ロッドは、それぞれ前記折曲部から延出して実質的に互いに垂直する第１の支持ロッドと第２の支持ロッドを備え、前記弾性部材の前記第３の端部が前記第１の支持ロッドに接続され、前記第２の連動ロッドが前記第２の支持ロッドに接続される請求項５に記載のサーバー。
【請求項７】
前記受容面が位置制限孔を有し、前記ハードディスクスタンドが位置制限ブロックを有し、前記ハードディスクユニットが前記受容面に摺動する場合、前記位置制限ブロックが前記位置制限孔内に制限される請求項４に記載のサーバー。
【請求項８】
前記位置制限孔が大孔と小孔を備え、前記位置制限ブロックが前記小孔内に係合される請求項７に記載のサーバー。
【請求項９】
前記ハンドルが第１の係止部を有し、前記ハードディスクトレーが第２の係止部を有し、前記ハンドルが前記ハードディスクユニットの一端に回転する場合、前記第１の係止部と前記第２の係止部が互いに係止する請求項１に記載のサーバー。